(57)【特許請求の範囲】
【請求項１】
電源投入時または異常復帰時において、発呼側から送信されたデータの受信に必要な部分を含む第１の部分の初期化を、それ以外の第２の部分の初期化に先行して行う初期化手段と、
その初期化手段により前記第１の部分の初期化が終了した場合には、第２の部分の初期化が未終了であっても、発呼側から送信されたデータの受信を可能とする制御手段と、
受信したデータを、他のファクシミリ装置に転送させることが可能な転送手段とを備え、
前記制御手段は、前記第１の部分の初期化終了後、第２の部分に使用者では容易に復帰できないエラーがある場合、データ受信中であれば受信動作を継続し、その受信終了後はデータを受信させないとともに、
前記転送手段は、受信終了後、それまでに受信したデータを、他のファクシミリ装置に転送させることを特徴とするファクシミリ装置。
【請求項２】
前記制御手段は、前記第１の部分の初期化終了後、第２の部分にエラーがあっても、使用者が容易に復帰可能なエラーであれば、データの受信を可能とすることを特徴とする請求項１記載のファクシミリ装置。
【請求項３】
発呼側装置から送信されたデータを受信する受信手段と、
その受信手段により受信されたデータを記憶する記憶手段と、
その記憶手段に記憶されたデータを記録紙に印刷する印刷手段と、
前記受信手段及び記憶手段の初期化を行う受信部初期化手段と、
前記印刷手段の初期化を行う印刷部初期化手段と、
前記受信されたデータを、他のファクシミリ装置に転送させることが可能な転送手段と、
電源投入時または異常復帰時に、前記受信部初期化手段の実行を前記印刷部初期化手段の実行に先行して行う初期化手段と、
その初期化手段により前記受信部初期化手段の初期化が終了した場合には、前記印刷部初期化手段の初期化が未終了であっても、前記受信手段及び記憶手段を動作させて発呼側装置から送信されたデータの受信を可能とする制御手段と、
前記受信部初期化手段の初期化後であって前記印刷部初期化手段の初期化終了前に前記受信手段により受信され前記記憶手段に記憶されたデータを、前記印刷部初期化手段の初期化終了後に記録紙に印刷させる印刷制御手段とを備え、
前記印刷部初期化手段は前記印刷手段の検査を行う印刷部検査手段を含み、その印刷部検査手段により前記印刷手段に使用者では容易に復帰できない異常が検出された場合、前記制御手段は、データ受信中であれば受信動作を継続し、その受信終了後はデータを受信させないとともに、
前記転送手段は、受信終了後、それまでに受信したデータを、他のファクシミリ装置に転送させることを特徴とするファクシミリ装置。
【請求項４】
前記制御手段は、前記印刷手段に異常が検出された場合、データ受信中であれば受信動作を継続し、前記転送手段は、受信終了後、それまでに受信したデータを、他のファクシミリ装置に自動的に転送させることを特徴とする請求項３記載のファクシミリ装置。
【請求項５】
前記印刷部検査手段により前記印刷手段に異常が検出された場合、データ受信中であれば受信動作を継続し、受信したデータが存在するときは、受信データが何処のファクシミリ装置から送信されたものであるかを報知する送信先報知手段を備えたことを特徴とする請求項３記載のファクシミリ装置。
【請求項６】
発呼側装置から送信されたデータを受信する受信手段と、
その受信手段により受信されたデータを記憶する記憶手段と、
その記憶手段に記憶されたデータを記録紙に印刷する印刷手段と、
前記受信手段及び記憶手段の初期化を行う受信部初期化手段と、
前記印刷手段の初期化を行う印刷部初期化手段と、
電源投入時または異常復帰時に、前記受信部初期化手段の実行を前記印刷部初期化手段の実行に先行して行う初期化手段と、
その初期化手段により前記受信部初期化手段の初期化が終了した場合には、前記印刷部初期化手段の初期化が未終了であっても、前記受信手段及び記憶手段を動作させて発呼側装置から送信されたデータの受信を可能とする制御手段と、
前記受信部初期化手段の初期化後であって前記印刷部初期化手段の初期化終了前に前記受信手段により受信され前記記憶手段に記憶されたデータを、前記印刷部初期化手段の初期化終了後に記録紙に印刷させる印刷制御手段とを備え、
前記印刷部初期化手段は、前記印刷手段の検査を行う印刷部検査手段を含み、
その印刷部検査手段により前記印刷手段に使用者では容易に復帰できない異常が検出された場合、前記制御手段は、データ受信中であれば受信動作を継続し、その受信終了後はデータを受信させないとともに、
受信終了後、それまでに受信したデータを、前記記憶手段から不揮発性の第２記憶手段に書き込むことが可能な書込手段を備えたことを特徴とするファクシミリ装置。
【請求項７】
前記印刷部検査手段により前記印刷手段に異常が検出された場合、データ受信中であれば受信動作を継続し、受信したデータが存在するときは、その旨を報知する報知手段を備えたことを特徴とする請求項３から６のいずれかに記載のファクシミリ装置。
【請求項８】
前記記憶手段は、電源が遮断されてもデータを記憶保持できる構成とされていることを特徴とする請求項３から７のいずれかに記載のファクシミリ装置。
【発明の詳細な説明】
【０００１】
【発明の属する技術分野】
本発明はファクシミリ装置に関し、特に、受信部の初期化処理を他の初期化処理に先行して行うことにより、電源投入後に短時間で受信可能な状態にすることができるファクシミリ装置に関するものである。
【０００２】
【従来の技術】
一般に、ファクシミリ装置は、電源投入後、各検査部位の全てを検査して正常であることを確認し、かつ、各部位を全て動作可能な状態にした後でなければ、送受信やコピー動作を行うことができなかった。
【０００３】
ところで、近年、ファクシミリ装置には、印字品質の向上と普通紙記録の必要性から電子写真プロセスを利用した印刷装置が多数採用されている。このファクシミリ装置は機構が複雑であるので、正常動作を保証するための検査部位が非常に多くなっている。また、ファクシミリ装置の各部位を動作可能な状態にするためには、例えば、定着装置を所望の温度に加熱する場合には、１分程度の長い時間がかかってしまっていた。
【０００４】
よって、この種のファクシミリ装置は、メンテナンスなどのために一旦電源を切ってしまうと、電源再投入後、再び送受信やコピ−動作が可能になるまでには、どうしても１分程度の時間が必要であった。また、障害が発生して、これを復旧するまでにエラー状態を長く続けると温度が下がってしまい、同程度の時間を必要とする場合がある。従って、この間に、即ち、動作が可能となるまでに、他のファクシミリ装置からデータの着信要求があったとしても、これを一切受け付けることができなかった。
【０００５】
【発明が解決しようとする課題】
しかしながら、他のファクシミリ装置からのデータ送信（着信要求）は、何時到来するかは解らないものである。電源投入後動作可能となるまでに他のファクシミリ装置から着信要求があった場合には、受信動作は行われず、呼出音の鳴動のみが行われていた。この場合、呼出は行われているのにファクシミリ装置は着信しないので、送信側のタイムアウトで呼出が終了してしまっていた。かかる場合は、送信側のファクシミリ装置は回線異常などが発生したと判断するので、リダイヤル状態にも入らずに通信を終了させてしまう。よって、使用者が原稿をセットしてその場を離れ、後で戻ってきたとしても送信されていないという問題点があった。
【０００６】
本発明は上述した問題点を解決するためになされたものであり、電源投入時または異常復帰時に短時間で受信可能な状態にすることができるファクシミリ装置を提供することを目的としている。
【０００７】
【課題を解決するための手段】
この目的を達成するために、請求項１記載のファクシミリ装置は、電源投入時または異常復帰時において、発呼側から送信されたデータの受信に必要な部分を含む第１の部分の初期化を、それ以外の第２の部分の初期化に先行して行う初期化手段と、その初期化手段により前記第１の部分の初期化が終了した場合には、第２の部分の初期化が未終了であっても、発呼側から送信されたデータの受信を可能とする制御手段と、受信したデータを、他のファクシミリ装置に転送させることが可能な転送手段とを備え、前記制御手段は、前記第１の部分の初期化終了後、第２の部分に使用者では容易に復帰できないエラーがある場合、データ受信中であれば受信動作を継続し、その受信終了後はデータを受信させないとともに、前記転送手段は、受信終了後、それまでに受信したデータを、他のファクシミリ装置に転送させる。
【０００８】
この請求項１記載のファクシミリ装置によれば、電源投入時または異常復帰時の初期化は、初期化手段により、発呼側から送信されたデータの受信に必要な部分を含む第１の部分の初期化が、それ以外の第２の部分の初期化に先行して行われる。制御手段は、第１の部分の初期化が終了した場合には、第２の部分の初期化が未終了であっても、発呼側から送信されたデータの受信を可能にする。そして、第１の部分の初期化終了後、第２の部分に使用者では容易に復帰できないエラーがある場合、すでにデータ受信中であれば受信動作が継続されるが、その受信終了後はデータが受信されない。そして、受信終了後、それまでに受信したデータは、転送手段により他のファクシミリ装置に転送することができる。
【０００９】
【００１０】
請求項２記載のファクシミリ装置は、請求項１記載のファクシミリ装置において、前記制御手段は、前記第１の部分の初期化終了後、第２の部分にエラーがあっても、使用者が容易に復帰可能なエラーであれば、データの受信を可能とするものである。この請求項２記載のファクシミリ装置によれば、請求項１記載のファクシミリ装置と同様に作用する上、第１の部分の初期化終了後、第２の部分にエラーがあっても、使用者が容易に復帰可能なエラーであれば、データの受信が可能とされる。
【００１１】
請求項３記載のファクシミリ装置は、発呼側装置から送信されたデータを受信する受信手段と、その受信手段により受信されたデータを記憶する記憶手段と、その記憶手段に記憶されたデータを記録紙に印刷する印刷手段と、前記受信手段及び記憶手段の初期化を行う受信部初期化手段と、前記印刷手段の初期化を行う印刷部初期化手段と、前記受信されたデータを、他のファクシミリ装置に転送させることが可能な転送手段と、電源投入時または異常復帰時に、前記受信部初期化手段の実行を前記印刷部初期化手段の実行に先行して行う初期化手段と、その初期化手段により前記受信部初期化手段の初期化が終了した場合には、前記印刷部初期化手段の初期化が未終了であっても、前記受信手段及び記憶手段を動作させて発呼側装置から送信されたデータの受信を可能とする制御手段と、前記受信部初期化手段の初期化後であって前記印刷部初期化手段の初期化終了前に前記受信手段により受信され前記記憶手段に記憶されたデータを、前記印刷部初期化手段の初期化終了後に記録紙に印刷させる印刷制御手段とを備え、前記印刷部初期化手段は前記印刷手段の検査を行う印刷部検査手段を含み、その印刷部検査手段により前記印刷手段に使用者では容易に復帰できない異常が検出された場合、前記制御手段は、データ受信中であれば受信動作を継続し、その受信終了後はデータを受信させないとともに、前記転送手段は、受信終了後、それまでに受信したデータを、他のファクシミリ装置に転送させる。この請求項３記載のファクシミリ装置によれば、発呼側装置から送信されたデータは、受信手段により受信された後、記憶手段に記憶され、印刷手段によって記録紙に印刷される。電源投入時またはリセット時の初期化は、初期化手段により、受信部初期化手段の実行が印刷部初期化手段の実行に先行して行われる。制御手段は、受信部初期化手段の初期化が終了した場合には、印刷部初期化手段の初期化が未終了であっても、受信手段及び記憶手段を動作させて発呼側装置から送信されたデータの受信を可能にする。受信部初期化手段の初期化後であって印刷部初期化手段の初期化終了前に受信手段により受信され記憶手段に記憶されたデータは、印刷制御手段により、印刷部初期化手段の初期化終了後に記録紙に印刷される。印刷部検査手段により印刷手段の初期化中に印刷手段に使用者では容易に復帰できない異常が検出された場合は、制御手段により、すでにデータ受信中であれば受信動作が継続されるが、その受信終了後はデータが受信されない。そして、それまでに受信したデータは、転送手段によって他のファクシミリ装置に転送することができる。
【００１２】
【００１３】
【００１４】
【００１５】
【００１６】
請求項４記載のファクシミリ装置は、請求項３記載のファクシミリ装置において、前記制御手段は、前記印刷手段に異常が検出された場合、データ受信中であれば受信動作を継続し、前記転送手段は、受信終了後、それまでに受信したデータを、他のファクシミリ装置に自動的に転送させる。
【００１７】
請求項５記載のファクシミリ装置は、請求項３記載のファクシミリ装置において、更に、前記印刷部検査手段により前記印刷手段に異常が検出された場合、データ受信中であれば受信動作を継続し、受信したデータが存在するときは、受信データが何処のファクシミリ装置から送信されたものであるかを報知する送信先報知手段を備えている。この請求項５記載のファクシミリ装置によれば、請求項３記載のファクシミリ装置と同様に作用する上、受信されたデータの送信先が、送信先報知手段により報知される。
【００１８】
請求項６記載のファクシミリ装置は、発呼側装置から送信されたデータを受信する受信手段と、その受信手段により受信されたデータを記憶する記憶手段と、その記憶手段に記憶されたデータを記録紙に印刷する印刷手段と、前記受信手段及び記憶手段の初期化を行う受信部初期化手段と、前記印刷手段の初期化を行う印刷部初期化手段と、電源投入時または異常復帰時に、前記受信部初期化手段の実行を前記印刷部初期化手段の実行に先行して行う初期化手段と、その初期化手段により前記受信部初期化手段の初期化が終了した場合には、前記印刷部初期化手段の初期化が未終了であっても、前記受信手段及び記憶手段を動作させて発呼側装置から送信されたデータの受信を可能とする制御手段と、前記受信部初期化手段の初期化後であって前記印刷部初期化手段の初期化終了前に前記受信手段により受信され前記記憶手段に記憶されたデータを、前記印刷部初期化手段の初期化終了後に記録紙に印刷させる印刷制御手段とを備え、前記印刷部初期化手段は、前記印刷手段の検査を行う印刷部検査手段を含み、その印刷部検査手段により前記印刷手段に使用者では容易に復帰できない異常が検出された場合、前記制御手段は、データ受信中であれば受信動作を継続し、その受信終了後はデータを受信させないとともに、受信終了後、それまでに受信したデータを、前記記憶手段から不揮発性の第２記憶手段に書き込むことが可能な書込手段を備えている。この請求項６記載のファクシミリ装置によれば、発呼側装置から送信されたデータは、受信手段により受信された後、記憶手段に記憶され、印刷手段によって記録紙に印刷される。電源投入時またはリセット時の初期化は、初期化手段により、受信部初期化手段の実行が印刷部初期化手段の実行に先行して行われる。制御手段は、受信部初期化手段の初期化が終了した場合には、印刷部初期化手段の初期化が未終了であっても、受信手段及び記憶手段を動作させて発呼側装置から送信されたデータの受信を可能にする。受信部初期化手段の初期化後であって印刷部初期化手段の初期化終了前に受信手段により受信され記憶手段に記憶されたデータは、印刷制御手段により、印刷部初期化手段の初期化終了後に記録紙に印刷される。ここで、印刷部検査手段により印刷手段の初期化中に印刷手段に使用者では容易に復帰できない異常が検出された場合には、制御手段により、すでにデータ受信中であれば受信動作が継続されるが、その受信終了後はデータが受信されない。そして、それまでに受信したデータは、書込手段によって不揮発性の第２記憶手段に書き込まれる。
【００１９】
請求項７記載のファクシミリ装置は、請求項３から６のいずれかに記載のファクシミリ装置において、更に、前記印刷部検査手段により前記印刷手段に異常が検出された場合、データ受信中であれば受信動作を継続し、受信したデータが存在するときは、その旨を報知する報知手段を備えている。この請求項７記載のファクシミリ装置によれば、請求項３から６のいずれかに記載のファクシミリと同様に作用する上、印刷手段の異常のために受信データが印刷されずに残されていることが、報知手段により報知される。
【００２０】
請求項８記載のファクシミリ装置は、請求項３から７のいずれかに記載のファクシミリ装置において、前記記憶手段は、電源が遮断されてもデータを記憶保持できる構成とされている。
【００２１】
【発明の実施の形態】
以下、本発明の好ましい実施例について、添付図面を参照して説明する。図１に、ファクシミリ装置１の外観斜視図を示す。ファクシミリ装置１の本体２の側部には、受話器３が取り付けられている。受話器３は非通話時には本体２に設けられた図示しないフック上に置かれ、通話時にはフックから取り上げられる。前者をオンフック状態、後者をオフフック状態と称する。本体２の上面の前部には複数のボタンを備えた操作パネル４が設けられ、その操作パネル４の左後部には液晶表示器（ＬＣＤ）５が設けられている。ファクシミリ装置１は、この操作パネル４上に設けられたボタンが押下されることにより操作され、その操作された状態や操作手順などがＬＣＤ５に表示される。操作パネル４及びＬＣＤ５の後部には原稿挿入口６が設けられている。ファクシミリ送信される原稿はこの原稿挿入口６に原稿面を下向きにして挿入され、読み取りが行われた後に、本体１０の前面であって操作パネル４の下方に設けられた原稿排出口７から排出される。
【００２２】
原稿挿入口６の後部には記録紙ホルダ装着部９が設けられ、この記録紙ホルダ装着部９には、複数枚の記録紙１７を積層収納可能な後述する記録紙ホルダ１４が着脱可能に取り付けられている（図２参照）。この記録紙ホルダ１４の開口は本体２に回動可能に取り付けられた蓋１０により覆われており、また、記録紙ホルダ１４から供給され印字に使用された記録紙１７は、原稿排出口７の下方に設けられた記録紙排出口８から排出される。記録紙排出口８の右下方には、第２記憶手段としてのフロッピーディスク（ＦＤ）を挿入するためのＦＤ挿入口１１が設けられ、このＦＤ挿入口１１に挿入されたＦＤは、書込手段としてのフロッピーディスクドライブ（ＦＤＤ）１２により、書き込みや読み込みが行われる。
【００２３】
図２に、このファクシミリ装置１の側断面図を示す。記録紙ホルダ１４は浅い箱状を成し、内部に圧板１５が回動可能に取り付けられるとともにスプリング１６により付勢され、記録紙１７を給紙ローラ１８に密着させる方向に付勢している。蓋１０と圧板１５との間には、記録紙ホルダ１４が記録紙ホルダ装着部９に装着された状態で両者を連結する図示しない連結装置が設けられている。この連結装置により、蓋１０が開かれると、圧板１５がスプリング１６の付勢力に抗して押し下げられ、圧板１５と給紙ローラ１８との間に記録紙１７を挿入する空間が形成される。一方、蓋１０が閉じられると、図２に示すように、圧板１５がスプリング１６により付勢されて、記録紙１７が給紙ローラ１８に密着される。
【００２４】
給紙ローラ１８の記録紙送り方向において上流側に隣接する位置には、記録紙１７の有無を検出する記録紙センサ２０が設けられている。記録紙センサ２０は接触式センサであり、蓋１０が閉じられて記録紙１７が給紙ローラ１８に密着されると、記録紙センサ２０の検出子が押され、それにより記録紙１７が有ることが検出される。記録紙ホルダ１４内の記録紙１７は、給紙ローラ１８および分離パッド２２を含む自動給紙装置により、最上位に積層された記録紙１７から順に送り出される。自動給紙装置によって送り出された記録紙１７は、一対の搬送ローラ２６によって記録装置２９に送られる。
【００２５】
記録装置２９は、ファクシミリ装置１が受信した画像データを記録紙１７に顕像化する装置である。この記録装置２９は、感光ドラム３０、転写ローラ５２、現像スリーブ７６、クリーニング装置５１、帯電器７８、トナーカートリッジ６８などから構成されている。感光ドラム３０は、図２中時計方向に回転可能に支持されている。感光ドラム３０の下方には帯電器７８が配置され、その感光ドラム３０の一側であって帯電器７８の下流側には現像スリーブ７６が設けられている。感光ドラム３０と反対側の現像スリーブ７６の一側には、現像剤としてのトナーを収容したトナーカートリッジ６８が着脱可能に取り付けられている。また、感光ドラム３０の上方には転写ローラ５２が感光ドラム３０と接触配置され、感光ドラム３０のうち転写ローラ５２の下流側の一側にはクリーニング装置５１が配置されている。
【００２６】
記録装置２９の下方には、レーザ光走査装置３４が設けられている。レーザ光走査装置３４は、帯電器７８により一様に帯電された感光ドラム３０の表面に印刷画像の画像データに応じた露光を行い、その感光ドラム３０の表面に静電潜像を形成するためのものである。このレーザ光走査装置３４は、スキャナモータやポリゴンミラーをも備えたレーザ発光部３６、レンズ３７、反射ミラー３７などから構成されている。
【００２７】
レーザ発光部３６から発射されたレーザ光は、レンズ３７に入射され、反射ミラー３７を通して感光ドラム３０に照射される。感光ドラム３０は帯電器７８によって一様に帯電されているので、この感光ドラム３０の表面にレーザ光が照射されることにより、その表面に静電潜像が形成される。
【００２８】
現像スリーブ７６はトナーカートリッジ６８に収容されたトナーを感光ドラム３０の表面に供給し、そのトナーを感光ドラム３０の表面に形成された静電潜像に付着させることにより、その静電潜像を顕像化するためのものである。感光ドラム３０の表面で顕像化されたトナー像は、感光ドラム３０と転写ローラ５２との間に搬送された記録紙１７に、転写ローラ５２によって転写される。なお、感光ドラム３０上に残留したトナーは、クリーニング装置５１により掻き落されて回収される。
【００２９】
トナー像が転写された記録紙１７は、記録装置２９の下流側に設けられた定着装置５４に送られる。定着装置５４に送られた記録紙１７は、定着装置５４の加熱ローラ５６と加圧ローラ５８との間に通される。記録紙１７上に転写されたトナー像は、ここで加熱溶融されて記録紙１７に定着される。定着後の記録紙１７は、一対の排紙ローラ６０により記録紙排出口８からファクシミリ装置１の外部に排出される。
【００３０】
レーザ光走査装置３４の下方には、ファクシミリ装置１の各制御を行う制御装置４０が設けられており、この制御装置４０には第２記憶手段としてのフロッピーディスク（ＦＤ）に対してデータの読み書きを実行するフロッピーディスクドライブ（ＦＤＤ）１２が駆動回路２３５（図３参照）を介して接続されている。
【００３１】
本体２の上部には原稿９０に記載された画像を読み取る画像読取装置４２が設けられている。本体２の上面の中間部に設けられた原稿台９４上に載せられた原稿９０は、読取り開始の指令に基づいて原稿送り装置９６（図３参照）によって１枚ずつ送り出される。送り出された原稿９０は、送りローラ等によって画像読取装置４２へ送られる。原稿台９４に原稿９０がセットされていることは、原稿台センサ９８によって検出される。また、原稿送り装置９６には、原稿センサ９９が取り付けられている。原稿センサ９９によって、原稿送り装置９６に送られた原稿９０の先端や終端が検出される。原稿センサ９９によって原稿９０の先端が検出されてから所定時間経過後に、原稿９０が読取り位置まで送られたことが検出され、また、原稿センサ９９によって原稿９０の終端が検出されたことによって、１頁の原稿９０の読み取り終了と予め定められた位置まで原稿９０が送られたことが検出されるのである。
【００３２】
画像読取装置４２は、光源１００によって原稿支持板１０２上の原稿に光を照射し、原稿からの反射光をミラー１０３、１０４によって反射させ、レンズ１０６により集光してラインメッセージ１０８に入光させ、原稿９０の画像を１行分ずつ読み取るものである。ラインメッセージ１０８は、複数個の電荷結合素子ＣＣＤ（Ｃｈａｒｇｅ  Ｃｏｕｐｌｅｄ  Ｄｅｖｉｃｅ）を備えている。ＣＣＤは、受光した反射光の強さに応じた電圧を出力する光電変換素子である。ＣＣＤの出力電圧は、受光した光の強さが大きくなる（白に近くなる）につれて大きくなる。反射光の強さがしきい値より大きい場合には、そのＣＣＤによって読み取られた領域は白（ドッドデータの値が０）とされ、しきい値より小さい場合には、黒（ドットデータの値が１）とされる。
【００３３】
読取り後の原稿９０は、排出ローラ１１０により送られて、原稿排出口７からファクシミリ装置１の外部に排出される。
【００３４】
図３は、本ファクシミリ装置１の電気的構成を示したブロック図である。制御装置４０は、図３に示すように、ＣＰＵ２００、記憶手段としてのＲＡＭ２０２、ＲＯＭ２０４、ＥＥＰＲＯＭ２０６、入出力ポート（Ｉ／Ｏポート）２１０、バスライン２１１、送信・受信制御回路２１２、及び、モデム２１４を備えている。
【００３５】
Ｉ／Ｏポート２１０には、記録紙センサ２０、トナー残量検出装置８０、原稿台センサ９８、原稿センサ９９、操作パネル４、スピーカ２２６等が接続されるとともに、ネットワークントロールユニット（ＮＣＵ）２２２を介して外部回線２２４がそれぞれ接続されている。また、ＮＣＵ２２２には受話器３が接続されている。Ｉ／Ｏポート２１０にはまた、２値化回路２２８、印刷手段としての印刷装置２２７が接続されるとともに、駆動回路２３０，２３１，２３３，２３５を介して、原稿送り装置９６、呼出音発生装置２３２、ＬＣＤ５、及び、ＦＤＤ１２が接続されている。
【００３６】
ＲＯＭ２０４には、図５から図８のフローチャートに図示される初期化プログラムのほか、符号化画像処理プログラム、復号化画像処理プログラムなどが格納されており、これらのプログラムはＣＰＵ２００により実行される。
【００３７】
ＲＡＭ２０２には、ＦＡＸ側受信データバッファ、ＦＡＸ側送信データバッファ、読取画像データバッファ、記録バッファ、ダイヤルバッファ、１頁データ用バッファ、復号化用バッファ、符号化用バッファ、画像データ受信時伝送パラメータバッファ、受信有フラグ２０３などが設けられている。ファクシミリ装置１が相手装置１１４に送信する画像データはＦＡＸ側送信データバッファに格納され、ファクシミリ装置１が相手装置１１４から受信したファクシミリデータはＦＡＸ側受信データバッファに格納される。なお、このＲＡＭ２０２の少なくとも一部の領域には、電源が遮断されてもデータを記憶保持できるように、バックアップ電源（図示せず）が供給されている。よって、ＦＡＸ側受信データバッファに記憶されたデータ等は、電源遮断後も消去されずに記憶保持される。
【００３８】
受信有フラグ２０３は、受信部の初期化終了後、印刷装置２２７などの出力装置の初期化終了前に、ファクシミリデータを受信した場合にセットされるフラグであり、ＲＡＭ２０２のバックアップ領域の一部に格納されている。この受信有フラグ２０３がセットされている場合は、出力装置の初期化終了後、ＦＡＸ側受信データバッファに記憶された受信データが出力される。
【００３９】
ＥＥＰＲＯＭ２０６は、２値化回路２２８で使用されるしきい値データを記憶する領域のほか、転送先電話番号メモリ２０７、及び、出力先カウンタ２０８を備えている。転送先電話番号メモリ２０７には、使用者によって操作パネル４から入力された転送先の電話番号が記憶される。
【００４０】
ところで、本ファクシミリ装置１は、受信データの出力を３つの方法により行うことが可能になっている。１つ目は受信データを記録紙１７に印刷する出力であり、２つ目は受信データをＦＤＤ１２によってＦＤに書き込む出力であり、３つ目は受信データを他のファクシミリ装置に転送する出力である。転送先電話番号メモリ２０７は、この３つ目の出力である受信データの転送先の電話番号を記憶するメモリである。
【００４１】
出力先カウンタ２０８は、受信データを上記の３つの出力装置のうちのいずれの出力装置に出力するかについて、その優先順位を合わせて示すカウンタである。図４に、出力先カウンタ２０８の説明図を示す。図４を用いて出力先カウンタ２０８を説明すると、出力先カウンタ２０８には、使用者の操作により、「０」から「５」の値がセットされる。出力先カウンタ２０８に「０」がセットされている場合は、受信データは印刷装置２２７、ＦＤＤ１２、データ転送の優先順位で出力される。即ち、印刷装置２２７に異常がなければ、受信データは印刷装置２２７により記録紙１７に印刷されるが、印刷装置２２７に異常があれば、２番目の優先順位の出力装置であるＦＤＤ１２により、受信データはＦＤに書き込まれる。また、ＦＤＤ１２にも異常があれば、受信データは、転送先電話番号メモリ２０７に記憶される番号の他のファクシミリ装置にデータ転送される。
【００４２】
出力先カウンタ２０８に「１」がセットされている場合は、印刷装置２２７、データ転送、ＦＤＤ１２の順に優先順位が定められる。以下「２」から「５」の優先順位は、図４の表の通りに定められる。なお、出力先カウンタ２０８の初期値は「０」にセットされるが、出力先カウンタ２０８はＥＥＰＲＯＭ２０６に記憶されるので、一旦、使用者によりセットされると、ファクシミリ装置１の電源断やリセット、あるいは、バックアップ電源の電圧低下によっても、セットされた値は失われない。
【００４３】
送信・受信制御回路２１２は、ファクシミリ装置１と相手装置１１４とが外部回線２２４で接続された場合に、相手装置１１４との間において、双方のファクシミリ番号、解像度などの送受信関連情報の交換を行う回路である。
【００４４】
モデム２１４は、デジタル信号をアナログ信号に変調し、その信号をＮＣＵ２２２を介して外部回線２２４に出力するとともに、外部回線２２４からＮＣＵ２２２を介して入力されたアナログ信号をデジタル信号に復調するものである。そのため、変調・復調機構２３４を有し、また、送信されて来る音声アナログデータを音声に再生する音声再生機構２３６を有する。これら変調・復調機構２３４、音声再生機構２３６、ＮＣＵ２２２および受話器３が電話機を構成している。
【００４５】
モデム２１４には、更に、相手装置１１４との間でファクシミリデータを送信する際に使用されるモデム送信データバッファ２３８、モデム受信データバッファ２３９が設けられている。ＮＣＵ２２２は、データ受信時には、外部回線２２４からの発呼に対して自動的に着信し、データ送出時には相手先に対して自動的に発呼するものである。相手先の番号を表すデジタルデータは、ＣＰＵ２００からＩ／Ｏポート２１０を通ってＮＣＵ２２２に供給される。
【００４６】
２値化回路２２８は、画像読取装置４２によって読み取られた読取画像データを２値化データに変換する回路である。すなわち、ＣＣＤから供給されるアナログの出力電圧がＥＥＰＲＯＭ２０６から供給されるしきい値データ（２値化回路２２８においてディジタル値からアナログ信号に変換される）より大きいか否かが判定され、大きい場合には０（白）、小さい場合には黒（１）とされることによって２値化データが作成されるのである。
【００４７】
印刷装置２２７は、記録装置２９、レーザ光走査装置３４、及び、定着装置５４を備えている。ここで定着装置５４は所定温度でなければ記録紙１７に転写されたトナー像を加熱溶融することができないので、電源投入やリセットがあると加熱が開始される。定着装置５４の温度はセンサにより検出されて、Ｉ／Ｏポートを介して制御装置４０に入力される。この温度が所定温度にならなければ、印刷装置２２７は動作できず、印刷ができない。
【００４８】
呼出音発生装置２３２は、相手装置１１４や電話機から呼出信号が送られてきたとき、制御装置４０からの指令に基づいて駆動回路２３１を介して供給される電圧によって呼出音を発生するものである。駆動回路２３１は、呼出信号に対応して電圧を供給したり、供給停止したりする。
【００４９】
次に、上記のように構成されたファクシミリ装置１の電源投入時又はリセット時の動作を図５から図８のフローチャートを用いて説明する。サービスマンによるメンテナンス等で電源を切った後、再び電源投入すると、ＣＰＵ２００によって図５のフローチャートに示される処理が開始される。まずＣＰＵ２００は、ＲＯＭ２０４に記憶されるプログラムに基づいて、自らの初期化を行った後（Ｓ１）、図６に示される受信部初期化処理を実行する（Ｓ２）。
【００５０】
受信部初期化処理（Ｓ２）では、まずＲＯＭ２０４のチェックとして、ＲＯＭサムチェックが行われる（Ｓ２１）。ＲＯＭサムチェックは、ＲＯＭ２０４の全データを１バイトずつ加算し、加算した合計が「００」であるかをチェックするものである。ＲＯＭ２０４には、予め加算した合計が「００」となるように、プログラム領域以外の領域でデータが調整されて書き込まれている。よって、加算結果が「００」ならばＲＯＭ２０４は正常、「００」でなければ異常と判断できる。
【００５１】
ＲＯＭサムチェックに異常（エラー）がなければ（Ｓ２２：Ｎ）、次に、図８に詳細が示されるＲＡＭ２０２のチェックが行なわれる（Ｓ２３）。ＲＡＭチェックは、例えば、受信有フラグ２０３がリセットされている場合であれば（Ｓ４１：Ｎ）、ＲＡＭ２０２のバックアップ領域を含む全ての領域について行われる（Ｓ４２）。具体的には、ＲＡＭ２０２のバックアップ領域を含む全領域に所定のデータが一旦書き込まれ、次に、その書き込んだデータを読み出して、確かに書き込んだデータであるかを検査することにより行われる。書き込んだデータと同じデータがチェックされた全領域で読み出されればＲＡＭ２０２は正常であり、１つでも異なったデータが読み出されればＲＡＭ２０２は異常（エラー）と判断される。また、受信有フラグ２０３がセットされている場合には（Ｓ４１：Ｙ）、バックアップ領域中の使用部分を除いて（Ｓ４３）、上記と同様なチェックが行われる（Ｓ４４）。
【００５２】
ＲＡＭチェックに異常（エラー）がなければ（Ｓ２４：Ｎ）、ＲＡＭ２０２内のバックアップ領域以外に設けられた各バッファやその他のフラグの初期化が行われる（Ｓ２５）。その後、送信・受信制御回路２１２の初期化（Ｓ２６）、及び、モデム２１４の初期化（Ｓ２７）が行われて、受信部初期化処理を終了する（Ｓ２９）。受信部初期化処理の終了後は、処理は図５のＳ３に移行される。
【００５３】
一方、ＲＯＭサムチェック（Ｓ２１）及びＲＡＭチェック（Ｓ２３）のいずれかでエラーが発生した場合には（Ｓ２２：Ｙ，Ｓ２４：Ｙ）、メモリエラー処理が実行される（Ｓ２８）。このエラー処理では、Ｉ／Ｏポート２１０に接続されたスピーカ２２６によりブザーを鳴動させて、メモリエラーを使用者に知らせるようにしている。メモリエラーの場合は、他の処理が実行できないので、電源断とされるまで本エラー処理（Ｓ２８）が繰り返される。
【００５４】
受信部初期化処理（Ｓ２）が終了すると、処理はＳ３に移行され、各装置の初期化処理が開始される（Ｓ３）。この初期化処理は、図示しない割り込み処理により行われる。この初期化処理では、各装置が正常であるかのチェックも同時に行われる。
【００５５】
各装置の初期化手順、即ち、各装置の準備手順が完了しないうちは（Ｓ４：Ｎ）、処理はＳ５に移行され、その初期化中に使用者では復帰できないエラーが発生したか調べられる（Ｓ５）。ここで「使用者では復帰できないエラー」とは、装置自体の故障などのメーカのサービスマンによらなければ復帰できないエラーを言う。例えば、印刷装置２２７の定着装置５４の温度が所定時間経過したにも拘らず、所望の温度に達しなかった場合などである。一方、記録紙センサ２０により検出される記録紙無しや、トナー残量検出装置８０により検出されるトナーエンプティは、使用者により容易に復帰できるエラーであるので、Ｓ５のエラーには含まれない。
【００５６】
エラーがなければ（Ｓ５：Ｎ）、ファクシミリ装置１の呼出（着信要求）が有るかどうか調べられる（Ｓ６）。このように受信部の初期化終了後は、各装置の初期化終了前であっても着信要求の受付を可能にするので、電源投入やリセット後、短時間で受信可能な状態にすることができる。受信部の初期化は電子回路の初期化であるので、メカの要素の初期化を必要とする印刷装置２２７などの初期化に比べて、極めて短時間のうちに初期化できるからである。
【００５７】
呼出がなければ（Ｓ６：Ｎ）、処理はＳ４へ移行され、呼出があれば（Ｓ６：Ｙ）、ＮＣＵ２２２を介してデータ受信が行なわれる（Ｓ７）。受信されたデータは、ＲＡＭ２０２のバックアップ領域に設けられたＦＡＸ側受信データバッファに記憶され、受信データが有ることを示す受信有フラグ２０３がセットされる（Ｓ８）。その後、処理はＳ４に移行され、各装置の準備手順が完了するまでＳ４からＳ８の処理が繰り返される。
【００５８】
各装置の準備手順完了前に（Ｓ４：Ｎ）、いずれかの装置で使用者により復帰できないエラーが発生した場合には（Ｓ５：Ｙ）、他のファクシミリ装置１１４からの呼出があってもこれを受け付けないように、処理はＳ４に移行される。データを受信したにも拘らず、出力装置にエラーがあると、受信したデータを出力できないからである。よって、本実施例では、使用者により復帰できないようなエラーを検出した後は、データ受信を行わないようにしている。ただし、受信中にエラーが発生した場合には、受信動作を継続し、その受信終了後、新たなデータ受信を行わないようにしている。
【００５９】
また、データ受信後に出力装置のエラーが検出されることもあるが、本ファクシミリ装置１は受信データの出力装置を３つ備えることにより、１の出力装置にエラーが検出された場合でも、他の出力装置で受信データを出力できるようにされている。この詳細は、図７のフローチャートを使用して後述する。
【００６０】
各装置の準備手順が完了すると（Ｓ４：Ｙ）、使用者により復帰できないエラーがいずれかの装置に発生しているか調べられる（Ｓ９）。そのエラーが、いずれの装置にも発生していなければ（Ｓ９：Ｎ）、初期化が正常に終了したものとして、受信有フラグ２０３の状態がチェックされ、各装置の初期化中にデータを受信したか調べられる（Ｓ１０）。データを受信していれば、即ち、受信有フラグ２０３がセットされていれば（Ｓ１０：Ｙ）、出力先カウンタ２０８で指定される１番目の出力装置で受信データが出力される（Ｓ１１）。なお、このとき１番目に指定される出力装置に、使用者により復帰できるエラーが発生していた場合は、そのエラーの復帰を待って受信データの出力が行われる。例えば、１番目の出力装置が印刷装置２２７である場合に、記録紙無しやトナーエンプティのエラーが検出されていれば、その旨の表示を行い、これらのエラーが使用者により解除されるのを待って受信データを印刷する。また、１番目の出力装置がフロッピーディスクドライブ（ＦＤＤ）である場合に、フロッピーディスク（ＦＤ）がＦＤ挿入口１１に装着されていない、あるいは、装着されていてもフォーマットが異なる等の理由で書き込みができなかったのであれば、その旨の表示を行い、書き込み可能なＦＤがＦＤ挿入口１１に装着されるのを待って、受信データをＦＤに書き込む。さらに、１番目の出力装置としてデータ転送が指定されている場合に、転送先の電話番号が設定されていなかったのであれば、その旨の表示を行い、転送先の電話番号等が入力されるのを待って、受信データを転送する。
【００６１】
受信データが出力された後は（Ｓ１０）、受信有フラグ２０３がリセットされて（Ｓ１２）、処理は待機状態へ移行される（Ｓ１３）。一方、データが受信されていなければ（Ｓ１０：Ｎ）、処理はそのまま待機状態へ移行される（Ｓ１３）。待機状態に移行した後の送信、受信、原稿コピ−等の動作は、通常のファクシミリ装置の動作と何ら変わらないので、ここではその説明を省略する。
【００６２】
装置の準備手順完了後（Ｓ４：Ｙ）、いずれかの装置に使用者では復帰できないエラーが発生していれば（Ｓ９：Ｙ）、初期化の手順は完了したものの、正常に初期化されなかったものとして、図７のエラー処理が実行される。本実施例では、電源投入後あるいは異常復帰後に、短時間で受信可能とするため、出力装置の初期化完了前にデータ受信を可能にしている。このためデータは受信したにも拘らず出力装置にエラーが発生すると、受信したデータを出力できないという問題が生じてしまう。そこで、本実施例のファクシミリ装置では、かかる問題点を解決するために、受信データの出力装置を複数備え、１の出力装置にエラーが発生した場合には他の出力装置を用いて受信データを出力するようにしている。また、本ファクシミリ装置では、受信データを記憶するＲＡＭ２０２をバックアップ可能とする事で、万一、全ての出力装置にエラーが発生した場合にも、受信データを失わないように構成されている。
【００６３】
このエラー処理では、まず受信有フラグ２０３がセットされているか調べられる（Ｓ３１）。受信有フラグ２０３がセットされていれば（Ｓ３１：Ｙ）、出力先カウンタ２０８で指定される１番目の出力装置にエラーがあるか判断される（Ｓ３２）。１番目の出力装置にエラーがなければ（Ｓ３２：Ｎ）、受信されたデータは、１番目の出力装置で出力され（Ｓ３３）、ＬＣＤ５には、受信データが出力された１番目の出力装置が表示される（Ｓ３９）。
【００６４】
この表示は、例えば、受信データが他のファクシミリ装置に転送された場合には、「受信データは、ＸＸＸＸ番のファクシミリ装置に転送されました。」というように、受信データが転送されたこと、及び、その転送先の電話番号がＬＣＤ５に表示される。また、受信データがＦＤＤ１２によりＦＤに書き込まれた場合には、「受信データはフロッピーディスクに書き込まれました。」と、受信データが印刷装置２２７により印刷された場合には、「受信データは印刷されました。」と、ＬＣＤ５に表示される。Ｓ３９の処理の後は、各エラー処理に移行される（Ｓ４０）。
【００６５】
１番目の出力装置にエラーが発生していれば（Ｓ３２：Ｙ）、出力先カウンタ２０８で指定される２番目の出力装置にエラーがあるか判断される（Ｓ３４）。２番目の出力装置にエラーがなければ（Ｓ３４：Ｎ）、受信されたデータは、２番目の出力装置で出力され（Ｓ３５）、ＬＣＤ５には、受信データが出力された２番目の出力装置が表示されて（Ｓ３９）、各エラー処理に移行される（Ｓ４０）。
【００６６】
２番目の出力装置にもエラーが発生していれば（Ｓ３４：Ｙ）、出力先カウンタ２０８で指定される３番目の出力装置にエラーがあるか判断される（Ｓ３６）。３番目の出力装置にエラーがなければ（Ｓ３６：Ｎ）、受信されたデータは、３番目の出力装置で出力され（Ｓ３７）、ＬＣＤ５には、受信データが出力された３番目の出力装置が表示されて（Ｓ３９）、各エラー処理に移行される（Ｓ４０）。
【００６７】
一方、３つの出力装置のすべてにエラーが発生している場合は（Ｓ３６：Ｙ）、受信データを出力することはできない。よって、受信データが出力されずにＲＡＭ２０２内に残されていることをＬＣＤ５に表示して（Ｓ３８）、使用者にその旨を報知した後、処理は各エラー処理に移行される（Ｓ４０）。なお、このように全ての出力装置にエラーが発生し、受信データが未出力のままＲＡＭ２０２内に残されている状態で、エラー回復のために一旦ファクシミリ装置１の電源が遮断されることがあっても、受信データが記憶されるＲＡＭ２０２のＦＡＸ側受信データバッファは、バックアップ可能にされているので、電源の遮断によって受信データが失われることがない。
【００６８】
Ｓ４０では、Ｓ３８やＳ３９の表示領域と重ならないように、エラーの種類がＬＣＤ５に表示され、エラー状態が使用者に認知させられる。これにより、使用者は、直ちに異常に対処できるか否かに応じて、たとえばサービスマンがすぐ来て修理してくれるのであれば、修理が終わるのを待って、未出力の受信データを出力するようにしてもよいし、あるいは、修理に時間がかかるようであれば、ＲＡＭ２０２、あるいはＥＥＰＲＯＭ２０６の一部のメモリ領域を利用して記憶している、現在までの通信履歴データを呼び出してＬＣＤ５等に表示させ、未出力の受信データが何処のファクシミリ装置から送信されたものであるかを確認し、相手先に電話して、緊急のものであれば別のファクシミリ装置に再送信してもらってもよく、もし、緊急のものでなければ、修理が終わるのを待って、既に受信済みのデータを出力するようにしてもよい。この場合、未出力の受信データが残っている旨の表示を行うとともに、該受信データが何処のファクシミリ装置から受信したデータであるかを、ＬＣＤ５等に自動的に表示するようにすれば、より好都合である。
【００６９】
なお、修理のために一時的に電源が遮断された場合、修理が終わって再び電源が立ち上げられると、受信有フラグ２０３がセットされたままであるので、装置の初期化が終了した後、受信バッファに残っているデータが自動的に出力されるが、たとえば、修理前にすでに別のファクシミリ装置に再送信してもらっているような場合には、無駄となってしまう。これを防止するため、たとえば、電源を遮断する前に、使用者の意志によって受信有フラグ２０３を適宜リセットすることができるようにしてもよい。
【００７０】
ときに、図５から図８のフローチャートに示される初期化プログラムは、電源投入時に行われるものであるが、たとえば、電源を一時的に遮断することなく修理を行った場合等においても初期化を可能とするため、特定のキー操作あるいは専用のボタン操作等に応答して、初期化が実行されるようにしてもよいことは勿論である。
【００７１】
本ファクシミリ装置１は、使用者により復帰できないエラーを検出した場合、データ受信中であれば受信動作を継続し、受信終了後、一旦可能とした受信を禁止するようにしているので、エラー検出後に新たにデータを受信することがない。即ち、出力できないデータの受信を最小限に止めることができる。
【００７２】
ところで、上記実施例では、受信バッファがバックアップ可能とされているので、たとえば、電源を遮断しないと修理できない場合等であっても、受信データを消失させることなく安心して修理することが可能となり、きわめて好都合であるが、必ずしも受信バッファがバックアップ可能である必要はない。
【００７３】
すなわち、出力装置に異常が検出されたために、それまでに受信したデータを出力することができず、しかも、修理のために電源を一時的に遮断しなければならない場合であっても、ＲＡＭ２０２、あるいはＥＥＰＲＯＭ２０６の一部のメモリ領域を利用して記憶している、現在までの通信履歴データを呼び出して、未出力の受信データが残っていること、および、該受信データの相手先が何処のファクシミリ装置であるか等をＬＣＤ５の表示させることにより、使用者は、相手先に電話して、緊急のものであれば別のファクシミリ装置に再送信してもらうことができるし、緊急のものでなければ、修理が終わるのを待って、再送信してもらうことができる。従って、修理のための電源断により受信データが消失してしまう場合であっても、なんら問題となることがない。もちろん、上記実施例のように、受信データを他のファクシミリ装置に転送することができる場合、あるいは、ＦＤに書き込むことができる場合に、再送信してもらわなくてもよいことは当然である。
【００７４】
また、上記実施例では、たとえば、１番目の出力装置として設定されている印刷装置２２７に異常が検出された場合、あらかじめ設定されている他のファクシミリ装置に受信データを自動的に転送するようにしたものであり、いずれの出力装置にも異常があって出力できなかった場合のみ、未出力の受信データが残っていることを、ＬＣＤ５等に表示するようにしたものであるが、これに限らず、たとえば、以下のような構成であっても何等差し支えない。
【００７５】
すなわち、１番目の出力装置として設定されている印刷装置２２７に異常が検出された場合、先ずは、印刷装置の故障により出力（印刷）することができない受信データが残っていることをＬＣＤ５に表示する（このとき、受信データの相手先の電話番号を同時に表示してもよい）にとどめ、その後の対処方法については、ＬＣＤ５の表示を見た使用者が任意に選択し得るようにしてもよい。たとえば、他のファクシミリ装置に転送したいのであれば、その旨の選択操作を行って、あらかじめ設定されている他のファクシミリ装置、あるいは、そのとき新たに設定された他のファクシミリ装置宛に、受信データを転送するようにしてもよい。また、上記ファクシミリ装置とは別に、ＦＤに書き込んだ受信データを表示あるいは印刷可能な専用の装置、たとえば、パーソナルコンピュータ等が設置してある場合には、受信データをＦＤに書き込むべく選択操作するようにしてもよい。この場合には、受信データを書き込んだＦＤを、パーソナルコンピュータにセットすることで、ＣＲＴ画面に受信データを表示させることができるし、必要に応じてプリントアウトさせることができる。
【００７６】
【発明の効果】
請求項１記載のファクシミリ装置によれば、装置全体の初期化には長時間を要するが、データ受信に必要な部分を含む第１の部分の初期化のみを先に行い、その第１の部分の初期化終了後は、それ以外の第２の部分の初期化終了前であっても受信を可能とするので、電源投入時または異常復帰時に短時間で受信可能な状態にすることができるという効果がある。
【００７７】
更に、第２の部分に使用者では容易に復帰できないエラーがある場合、すでにデータ受信中であれば受信動作が継続されるが、その受信終了後はデータが受信されないので、装置に異常があるにもかかわらず、データ受信を無制限に行ってしまうことがないという効果がある。また、受信されたデータは、転送手段により他のファクシミリ装置に転送されるので、第２の部分に生じた異常が復帰困難なものであっても、受信されたデータを失うことなく、他のファクシミリ装置で印刷または記憶することができるという効果がある。この場合、第２の部分の異常復帰後に転送先のファクシミリ装置から転送したデータを送信し返してもらえば、そのデータを本ファクシミリ装置で印刷することができる。
【００７８】
請求項２記載のファクシミリ装置によれば、請求項１記載のファクシミリ装置の奏する効果に加え、更に、第２の部分にエラーがあっても、使用者が容易に復帰可能なエラーであれば、データの受信が可能とされるので、必要以上にデータ受信を制限してしまうことがないという効果がある。
【００７９】
請求項３記載のファクシミリ装置によれば、印刷手段の初期化は長時間を要するが、この印刷手段の初期化前に受信手段及び記憶手段（受信部）の初期化を行い、その受信部の初期化終了後は印刷手段の初期化終了前であっても受信を可能とするので、電源投入時または異常復帰時に短時間で受信可能な状態にすることができる上、印刷手段の初期化終了前に受信されたデータを印刷することができるという効果がある。更に、印刷手段に使用者では容易に復帰できない異常がある場合、すでにデータ受信中であれば受信動作が継続されるが、その受信終了後はデータが受信されないので、装置に異常があるにもかかわらず、データ受信を無制限に行ってしまうことがないという効果がある。また、印刷手段に生じた異常が復帰困難なものであっても、受信されたデータを失うことなく、他のファクシミリ装置で印刷または記憶することができるという効果がある。この場合、印刷手段の異常復帰後に転送先のファクシミリ装置から転送したデータを送信し返してもらえば、そのデータを本ファクシミリ装置で印刷することができる。
【００８０】
【００８１】
【００８２】
【００８３】
請求項４記載のファクシミリ装置によれば、請求項３記載のファクシミリ装置の奏する効果に加え、更に、印刷手段に異常が検出された場合に、受信されたデータは、他のファクシミリ装置へ自動的に転送されるので、使用者は転送操作を行う必要がなく操作性が向上できるという効果がある。
【００８４】
請求項５記載のファクシミリ装置によれば、請求項３記載のファクシミリ装置の奏する効果に加え、更に、受信されたデータの送信先が報知されるので、使用者は必要に応じてデータの送信先に連絡して再送信を依頼することができるという効果がある。
【００８５】
請求項６記載のファクシミリ装置によれば、印刷手段の初期化は長時間を要するが、この印刷手段の初期化前に受信手段及び記憶手段（受信部）の初期化を行い、その受信部の初期化終了後は印刷手段の初期化終了前であっても受信を可能とするので、電源投入時または異常復帰時に短時間で受信可能な状態にすることができる上、更に、印刷手段の初期化終了前に受信されたデータを印刷することができるという効果がある。また、印刷手段に使用者では容易に復帰できない異常がある場合、すでにデータ受信中であれば受信動作が継続されるが、その受信終了後はデータが受信されないので、装置に異常があるにもかかわらず、データ受信を無制限に行ってしまうことがないという効果がある。また、印刷手段に異常が検出された場合に、受信されたデータは、書込手段により不揮発性の第２記憶手段に書き込まれるので、印刷手段に生じた異常が復帰困難なものであって大がかりな修理が必要となる場合でも、受信されたデータは失われることがないという効果がある。この場合、印刷手段の異常復帰後（修理後）に、不揮発性の第２記憶手段からそのデータを読み出して本ファクシミリ装置で印刷することができる。
【００８６】
請求項７記載のファクシミリ装置によれば、請求項３から６のいずれかに記載のファクシミリ装置の奏する効果に加え、更に、印刷手段の異常のために印刷されずに残されている受信データの存在が、報知手段によって報知されるので、使用者は未印刷の受信データの存在を容易に認識できるという効果がある。この報知結果に基づいて、使用者は未印刷の受信データを他のファクシミリ装置へ転送したり、不揮発性の第２記憶手段に書き込むことができるので、印刷手段に復帰困難な異常が生じてもそのデータを失うことがない。
【００８７】
請求項８記載のファクシミリ装置によれば、請求項３から７のいずれかに記載のファクシミリ装置の奏する効果に加え、更に、記憶手段は電源が遮断されてもデータを記憶保持できるので、印刷手段の異常が電源を遮断しなければ復帰できないものであり、そのために電源を遮断することがあっても、受信されたデータが失われることがないという効果がある。
【図面の簡単な説明】
【図１】本発明の一実施例であるファクシミリ装置の斜視図である。
【図２】上記ファクシミリ装置の側断面図である。
【図３】上記ファクシミリ装置の電気的構成を示したブロック図である。
【図４】出力先カウンタの説明図である。
【図５】電源投入後に実行される初期化処理を示したフローチャートである。
【図６】受信部初期化処理を示したフローチャートである。
【図７】エラー処理を示したフローチャートである。
【図８】ＲＡＭチェックの詳細を示したフローチャートである。
【符号の説明】
１  ファクシミリ装置
５  液晶表示器（ＬＣＤ）
１２  フロッピーディスクドライブ（ＦＤＤ）
２００  ＣＰＵ（制御手段）
２０２  ＲＡＭ（記憶手段）
２０３  受信有フラグ
２０４  ＲＯＭ
２０６  ＥＥＰＲＯＭ
２０７  転送先電話番号メモリ
２０８  出力先カウンタ
２１２  送信・受信制御回路
２１４  モデム
２２２  ＮＣＵ
２２７  印刷装置（印刷手段）
【図１】
0003622317.tif 000002
【図２】
0003622317.tif 000003
【図３】
0003622317.tif 000004
【図４】
0003622317.tif 000005
【図５】
0003622317.tif 000006
【図６】
0003622317.tif 000007
【図７】
0003622317.tif 000008
【図８】
0003622317.tif 000009